(57)【特許請求の範囲】
【請求項１】
血圧測定部位に装着される環状腕帯圧力部と、該環状腕帯圧力部の前記血圧測定部位に接する部分においてコロトコフ音を検出するコロトコフ音検出手段と、前記環状腕帯圧力部の内部を加圧する加圧手段と、前記環状腕帯圧力部の内部を減圧する減圧手段と、前記環状腕帯圧力部の内部の圧力を検出する圧力検出手段と、前記環状腕帯圧力部を前記加圧手段で加圧させた後、前記減圧手段で減圧させた際に検出される前記コロトコフ音の変化に基づいて、前記圧力検出手段で検出された前記圧力から最高血圧及び最低血圧を決定する制御部とを備えた血圧測定装置であって、
前記制御部は、前記加圧手段によって前記環状腕帯圧力部を加圧させるとともに、前記コロトコフ音検出手段によって検出される前記コロトコフ音を監視し、一定の変化曲線をもつ該コロトコフ音の消滅点を検出することに基づいて加圧手段による加圧を終了させ、前記減圧手段による前記環状腕帯圧力部の減圧を開始させるものであって、
前記加圧は、所定の目的圧に達した場合、および、所定の目的圧に達しない場合であっても所定時間継続的にコロトコフ音が検出されない場合に終了し、
前記減圧を開始した後、所定時間継続してコロトコフ音が検出された場合、前記所定の目的圧より高い他の目的圧に設定して、再度加圧を開始させるとともに、この再度加圧を通知することを特徴とする血圧測定装置。
【請求項２】
請求項１に記載の血圧測定装置において、
前記コロトコフ音検出手段は、検出された前記コロトコフ音の前記変化曲線を２階微分した波形を出力するコロトコフ音検出回路を備え、
前記制御部は、前記コロトコフ音検出回路から出力された前記波形の波高値が示す一定の変化特性の有無により前記コロトコフ音の消滅点を検出することを特徴とする血圧測定装置。
【請求項３】
請求項１または請求項２に記載の血圧測定装置において、
前記制御部は、前記圧力検出手段で検出される圧力を監視し、該圧力が予め設定された基準圧に達するまでは、急速加圧制御として、前記加圧手段による加圧速度を急速加圧とする第一の加圧速度とするとともに、前記圧力が前記基準圧に達した場合には、微加圧制御として、前記加圧手段による加圧速度を前記第一の加圧速度に対して相対的に低速度である第二の加圧速度とすることを特徴とする血圧測定装置。
【発明の詳細な説明】
【技術分野】
【０００１】
本発明は、血圧測定に用いられる血圧測定装置に関する。
【背景技術】
【０００２】
近年、自動的に血圧を測定することができる血圧測定装置は、一般家庭や公衆の場に広く普及し、健康管理の一環として利用されている。このように医療機関においてのみならず、一般の人が利用しやすい装置として、様々な血圧測定装置が提案されている。例えば、血圧測定部位に巻回されるカフを備え、カフの圧力を最大圧力まで急速加圧させた後、圧力の徐速降圧過程で得られる信号に基づいて血圧を決定する形式であって、カフの圧力の急速加圧過程においてカフ内に発生する脈波の頂上部の形状が小突起形状であることに基づいて、最大圧力を決定する最大圧力決定手段を含むことを特徴とする血圧測定装置が提案されている（例えば、特許文献１参照）。このような血圧測定装置では、被測定者の最高血圧よりも大きな値において、最適な最大圧力を設定し加圧されることで、被測定者に不必要に高い圧力を与えず、また、加圧時間を短縮することができるとされている。
【特許文献１】特許第３４２９４８８号公報
【発明の開示】
【発明が解決しようとする課題】
【０００３】
しかしながら、特許文献１による血圧測定装置によれば、最大圧力を決定する生体信号として、脈波の頂上部の形状を検出しているが、最高血圧と対応する小突起形状である脈波を検出するには、その前後の脈波の形状をも検出し、相対的な比較をする必要がある。このため、小突起形状である脈波を検出し最大圧力を決定するには、ある程度の測定時間を必要とした。さらに、このようにして脈波の形状を検出したとしても、脈波の形状は被測定者によって異なり、複雑な脈波の形状から最適な最大加圧を決定するには限界があった。
【０００４】
この発明は、上述した事情に鑑みてなされたものであって、加圧時の最大圧力を被測定者の差異による影響を受けずに、容易にかつ正確に最適な値とすることができるとともに、測定時間を短縮することで、被測定者の負担を最小限とする血圧測定装置を提供するものである。
【課題を解決するための手段】
【０００５】
上記課題を解決するために、この発明は以下の手段を提案している。
本発明は、血圧測定部位に装着される環状腕帯圧力部と、該環状腕帯圧力部の前記血圧測定部位に接する部分においてコロトコフ音を検出するコロトコフ音検出手段と、前記環状腕帯圧力部の内部を加圧する加圧手段と、前記環状腕帯圧力部の内部を減圧する減圧手段と、前記環状腕帯圧力部の内部の圧力を検出する圧力検出手段と、前記環状腕帯圧力部を前記加圧手段で加圧させた後、前記減圧手段で減圧させた際に検出される前記コロトコフ音の変化に基づいて、前記圧力検出手段で検出された前記圧力から最高血圧及び最低血圧を決定する制御部とを備えた血圧測定装置であって、前記制御部は、前記加圧手段によって前記環状腕帯圧力部を加圧させるとともに、前記コロトコフ音検出手段によって検出される前記コロトコフ音を監視し、一定の変化曲線をもつ該コロトコフ音の消滅点を検出することに基づいて加圧手段による加圧を終了させ、前記減圧手段による前記環状腕帯圧力部の減圧を開始させるものであって、前記加圧は、所定の目的圧に達した場合、および、所定の目的圧に達しない場合であっても所定時間継続的にコロトコフ音が検出されない場合に終了し、前記減圧を開始した後、所定時間継続してコロトコフ音が検出された場合、前記所定の目的圧より高い他の目的圧に設定して、再度加圧を開始させるとともに、この再度加圧を通知することを特徴としている。
【０００６】
この発明に係る血圧測定装置によれば、制御部は、環状腕帯圧力部を加圧手段によって加圧させるとともに、コロトコフ音検出手段によって検出されるコロトコフ音の監視を行う。そして、加圧手段によって加圧された圧力が被測定者の最低血圧に相当する圧力にまで達するとコロトコフ音が発生する。さらに加圧手段によって加圧された圧力が被測定者の最高血圧に相当する圧力にまで達するとコロトコフ音は消滅し検出されなくなる。そして、コロトコフ音検出手段によってコロトコフ音が検出されなくなった時の圧力に基づいて、加圧手段の加圧による最大圧力を決定することで、被測定者の最高血圧に対して最適な圧力に最大圧力を設定することができる。このようにコロトコフ音の有無によって、最大圧力を決定することができるので、非常に明確であり、被測定者の差異によらず、また検出されるコロトコフ音の前後の傾向を検出する必要もない。
【０００７】
また、上記血圧測定装置において、前記コロトコフ音検出手段は、検出された前記コロトコフ音の前記変化曲線を２階微分した波形を出力するコロトコフ音検出回路を備え、前記制御部は、前記コロトコフ音検出回路から出力された前記波形の波高値が示す一定の変化特性の有無により前記コロトコフ音の消滅点を検出することがより好ましいとされている。
この発明に係る血圧測定装置によれば、コロトコフ音検出手段のコロトコフ音検出回路が、検出されるコロトコフ音の変化曲線を２階微分した波形を出力する。そして、制御部は、この波形からコロトコフ音が有するノッチ成分と対応する部分の波高値が顕著となる変化特性を検出することができる。すなわち、コロトコフ音の変化曲線を２階微分した波形において、ノッチ成分と対応する部分の有無を検出することで、容易かつ確実にコロトコフ音の有無を検出することができる。
【０００８】
また、上記の血圧測定装置において、前記制御部は、前記圧力検出手段で検出される圧力を監視し、該圧力が予め設定された基準圧に達するまでは、急速加圧制御として、前記加圧手段による加圧速度を急速加圧とする第一の加圧速度とするとともに、前記圧力が前記基準圧に達した場合には、微加圧制御として、前記加圧手段による加圧速度を前記第一の加圧速度に対して相対的に低速度である第二の加圧速度とすることがより好ましいとされている。
【０００９】
この発明に係わる血圧測定装置によれば、設定された基準圧までは急速加圧制御として第一の加圧速度で加圧時間を短縮することができる。次に、基準圧を超えて加圧手段の加圧による最大圧力を決定し、加圧を停止するまでは、微加圧制御として第二の加圧速度でコロトコフ音を正確に検出して、被測定者に応じた最適な最大圧力を決定することができる。
【発明の効果】
【００１０】
本発明の血圧測定装置によれば、コロトコフ音の有無によって最大圧力を決定することができるので、非常に明確であり、被測定者の差異によらず、短時間で、容易にかつ正確に被測定者の最高血圧に対応して最大圧力を決定することができる。このため、最大圧力を最小限に抑えることができるので、測定時間を最大限短縮することができるとともに、被測定者の負担を最小限とすることができる。
【発明を実施するための最良の形態】
【００１１】
図１から図４は、この発明に係る実施形態を示している。図１に血圧測定装置のブロック図を示す。図２にコロトコフ音の特性を表わすグラフを示す。また、図３に、血圧測定装置によって血圧を計測した際の環状腕帯圧力部の圧力変化及び検出されるコロトコフ音の変化を表わすグラフを示す。さらに、図４に、血圧測定装置よって行われる加圧過程のフロー図を示す。
【００１２】
図１に示すように、血圧測定装置１は、例えば定置式であり、被測定者の血圧測定部位に装着される環状腕帯圧力部２と、環状腕帯圧力部２の内部を加圧する加圧手段３と、環状腕帯圧力部２の内部を減圧する減圧手段４とを備えている。さらに、血圧測定装置１は、血圧測定部位で発生するコロトコフ音Ｋを検出するコロトコフ音検出手段５と、環状腕帯圧力部２の内部の圧力Ｐを検出する圧力検出手段６と、コロトコフ音検出手段５及び圧力検出手段６で検出されるコロトコフ音Ｋ及び圧力Ｐに基づいて加圧手段３及び減圧手段４を制御する制御部７とを備えている。
【００１３】
環状腕帯圧力部２は、図示しない袋状で、内部に空気室が形成されるとともに、環状に形成され、血圧測定部位である被測定者の腕を挿通させ、内部の空気室を加圧手段３で加圧することによって被測定者の腕を圧迫することができる構成となっている。また、加圧手段３は、環状腕帯圧力部２の内部と連通する配管８に接続され配管８を加圧することが可能なポンプ９と、ポンプ９と電気的に接続されポンプ９の圧力を制御するポンプ制御回路１０とを備える。また、減圧手段４は、配管８に接続され開閉することで配管８内部の減圧調整を行う電磁弁１１と、電磁弁１１と電気的に接続され電磁弁１１の開閉を制御する電磁弁制御回路１２とを備える。図示しないが、電磁弁１１は複数の電磁弁で構成されており、より詳しくは、大きな径を有する２つの電磁弁と、小さな径を有する１つの電磁弁で構成されている。すなわち、後述の減圧過程Ｂにおいて、最高血圧ＢＰｍａｘ及び最低血圧ＢＰｍｉｎを測定する際は、微排気制御として小さな径の電磁弁のみを開放し、測定を終了する際は、強制排気としてすべての電磁弁を開放することが可能である。さらに、コロトコフ音検出手段５は、環状腕帯圧力部２の測定者の血圧測定部位が接する部分に設けられ血圧測定に伴って血圧測定部位から発生するコロトコフ音Ｋを検出するマイクロホンセンサ１３と、マイクロホンセンサ１３で検出されたコロトコフ音Ｋを電気信号に変換するコロトコフ音検出回路１４とを備える。より詳しくは、マイクロホンセンサ１３で検出されるコロトコフ音Ｋの変化曲線Ｃは、図２に示すような特性を示す。そして、検出されたコロトコフ音Ｋの変化曲線Ｃは、コロトコフ音検出回路１４において、２階微分した波形Ｗに変換され、出力される。また、圧力検出手段６は、環状腕帯圧力部２の内部の圧力Ｐを検出する圧力センサ１５と、圧力センサ１５で検出された圧力Ｐを電気信号に変換する圧力検出回路１６とを備える。
【００１４】
制御部７は、コロトコフ音検出回路１４から出力された波形Ｗに基づいて、コロトコフ音Ｋの有無を判別するコロトコフ音判別処理７ａと、圧力検出回路１６から出力された電気信号に基づいて、環状腕帯圧力部２の圧力が予め設定された値に達したかどうか判別する圧力値判別処理７ｂとを備える。図２に示すように、コロトコフ音Ｋの変化曲線Ｃには、音圧が局所的に変化するノッチ成分Ｎが含まれている。そして、変化曲線Ｃを２階微分した波形Ｗは、コロトコフ音Ｋのノッチ成分Ｎと対応する部分において、波高値Ｈが顕著となる変化特性を示す。すなわち、コロトコフ音判別処理７ａは、コロトコフ音検出回路１４から出力される波形Ｗから、ノッチ成分Ｎと対応する部分の有無を検出し、コロトコフ音Ｋの有無を判別する。
【００１５】
また、圧力値判別処理７ｂには、加圧手段３によって最初に加圧する際の圧力の上限である目的圧ＯＰ、及び後述するように急速加圧制御Ａ１から微加圧制御Ａ２に切り替える際の基準値である基準圧Ｐｓとが設定されており、圧力値判別処理７ｂは、環状腕帯圧力部２の圧力Ｐがこれら目的圧ＯＰ及び基準圧Ｐｓに達したかどうかを常に監視している。目的圧ＯＰは、予め設定される値であり、最初に加圧する際の圧力の上限であることから、一般的に高血圧と診断される被測定者においても最高血圧よりも大きくなるような値が好ましく、例えば１８０ｍｍＨｇに設定されている。また、基準圧Ｐｓは、予め固定されている値であり、後述するように微加圧制御Ａ２を開始する圧力であり、一般的に低血圧と診断される被測定者においても最高血圧より小さくなるような値が好ましく、例えば１００ｍｍＨｇに固定されている。また、制御部７は、コロトコフ音判別処理７ａ及び圧力値判別処理７ｂによる判別結果に基づいて、加圧手段３による加圧及び減圧手段４による減圧を行わせ、また最高血圧及び最低血圧を決定し、表示部１７に表示させる圧力制御判別処理７ｃを備える。また、制御部７、ポンプ制御回路１０、電磁弁制御回路１２、圧力センサ１５、圧力検出回路１６、コロトコフ音検出回路１４及び表示部１７とは、装置本体内部の基板１８に搭載されている。
以上、血圧測定装置１の構成について説明したが、次に、制御部７による制御の詳細及び血圧測定装置１の作用について説明する。
【００１６】
図３に示すように、血圧測定装置１による血圧測定は、大きく分けて、目的圧ＯＰあるいは被測定者の少なくとも最高血圧よりも大きな圧力まで加圧させる加圧過程Ａと、加圧過程Ａ後に徐々に減圧させるとともに、コロトコフ音Ｋの検出結果から最高血圧ＢＰｍａｘ及び最低血圧ＢＰｍｉｎを測定する減圧過程Ｂとで構成される。すなわち、加圧過程Ａにおいて、まず急速加圧制御Ａ１として、制御部７は、加圧手段３によって環状腕帯圧力部２を第一の加圧速度Ｖ１で加圧させる。第一の加圧速度Ｖ１は、加圧時間の短縮を図るとともに、被測定者の負担が大きくならない程度に高速度に設定される。この際、圧力Ｐが被測定者の最低血圧ＢＰｍｉｎ（例えば、８０ｍｍＨｇ）に相当する圧力に達すると、Ｋ１点においてコロトコフ音Ｋが検出され始め、その大きさは圧力Ｐの上昇に伴って大きくなる。そして、基準圧Ｐｓ（例えば、１００ｍｍＨｇ）に達した段階で、微加圧制御Ａ２に移行し、制御部７は、加圧手段３によって環状腕帯圧力部２を第一の加圧速度Ｖ１よりも相対的に低速度である第二の加圧速度Ｖ２で徐々に加圧させるとともに、コロトコフ音検出手段５によってコロトコフ音Ｋを検出する。検出されるコロトコフ音Ｋの大きさは、環状腕帯圧力部２の圧力Ｐがある値に達すると徐々に小さくなり、最高血圧ＢＰｍａｘ（例えば、１２０ｍｍＨｇ）に相当する圧力Ｐに達したところで消滅する（消滅点Ｋ２）。そして、制御部７は、圧力Ｐが目的圧ＯＰ（例えば、１８０ｍｍＨｇ）に達していなくても、消滅点Ｋ２を検出し、コロトコフ音Ｋが消滅したのを確認したところから、予備圧Ｐ１を考慮した圧力Ｐを最大圧力Ｐｍａｘ（例えば、１４０ｍｍＨｇ）として、加圧手段３による加圧を停止、すなわち加圧過程Ａを終了させる。なお、図２に示すように、制御部７のコロトコフ音判別処理７ａは、コロトコフ音検出回路１４がコロトコフ音Ｋの変化曲線Ｃを２階微分して得た波形Ｗからノッチ成分Ｎと対応する部分を検出することで、さらに容易かつ確実にコロトコフ音Ｋの有無を検出することができる。
【００１７】
次に、減圧過程Ｂとして、制御部７は減圧手段４を稼動させて所定の減圧速度で環状腕帯圧力部２を減圧させるとともに、コロトコフ音検出手段５によってコロトコフ音Ｋの検出を行う。そして、コロトコフ音Ｋが検出され始めたとき（Ｋ３点）の圧力Ｐを検出して、最高血圧ＢＰｍａｘ（１２０ｍｍＨｇ）を得る。さらに、減圧させるとコロトコフ音Ｋはしだいに大きくなり、ある値に達するとしだいに小さくなる。そして、再びコロトコフ音Ｋが消滅したとき（Ｋ４点）の圧力Ｐを検出して、最低血圧ＢＰｍｉｎ（８０ｍｍＨｇ）を得る。より詳しくは、連続するＫ音が２秒以上確認できなかったことを基準として最低血圧ＢＰｍｉｎを決定する。そして、制御部７は、表示部１７に最高血圧ＢＰｍａｘ及び最低血圧ＢＰｍｉｎを表示させ、電磁弁１１を全開放し、圧力Ｐをゼロとする。次に、上述の加圧過程Ａの詳細について図４に基づいて説明する。
【００１８】
まず、図４に示すように、ステップ１０１において、急速加圧制御Ａ１を開始する。すなわち、図１に示すように、制御部７は、加圧手段３によって第一の加圧速度Ｖ１で環状腕帯圧力部２を加圧させる。そして、図４に示すように、ステップ１０２において、圧力検出手段６によって環状腕帯圧力部２の圧力Ｐを検出し、制御部７の圧力値判別処理７ｂによって、検出される圧力Ｐの監視を行う。そして、ステップ１０３において、圧力Ｐが予め固定された基準圧Ｐｓ（１００ｍｍＨｇ）に達したことを制御部７の圧力値判別処理７ｂが判別すると、その結果が圧力制御判別処理７ｃに入力され、加圧手段３の加圧速度を第一の加圧速度Ｖ１から第二の加圧速度Ｖ２に減速させて、ステップ１０４において微加圧制御Ａ２に移行する。次に、ステップ１０５において、再び圧力検出手段６で環状腕帯圧力部２の圧力Ｐを検出し、ステップ１０６において、制御部７の圧力値判別処理７ｂによって、検出される圧力Ｐが目的圧ＯＰ（１８０ｍｍＨｇ）に達するかどうか監視する。
【００１９】
ここで、検出される圧力Ｐが目的圧ＯＰに達しない間は、ステップ２０１において、コロトコフ音検出手段５でコロトコフ音Ｋを検出し、制御部７のコロトコフ音判別処理７ａによってコロトコフ音Ｋの監視を行う。そして、ステップ２０２において、図３に示すＫ２点のように、コロトコフ音検出手段５によってコロトコフ音Ｋが検出されなくなると、ステップ２０３において、制御部７のコロトコフ音判別処理７ａは、さらに一定時間（約２秒程度）監視を行って、コロトコフ音Ｋが連続して存在しないことを確認し、その結果が制御部７の圧力制御判別処理７ｃに伝達される。そして、制御部７の圧力制御判別処理７ｃは、図３に示す予備圧Ｐ１を考慮して、最大圧力Ｐｍａｘ（１４０ｍｍＨｇ）を決定し、最大圧力Ｐｍａｘで加圧手段３による加圧を停止させ、加圧過程Ａが終了する（ステップ１０７）。
【００２０】
また、ステップ１０６において、コロトコフ音Ｋの消滅が確認できないまま圧力Ｐが目的圧ＯＰに達してしまった場合も、ステップ１０７に移行して微加圧制御Ａ２を停止させ、加圧過程Ａから減圧過程Ｂに移行する。なお、この場合には、コロトコフ音Ｋをさらに監視し、減圧過程Ｂを開始してから所定の時間コロトコフ音Ｋが検出され続けると、制御部７は加圧過程Ａにおいて被測定者の最高血圧ＢＰｍａｘ以上まで加圧できなかったと認識する。そして、制御部７は、目的圧ＯＰを再設定し（例えば１８０ｍｍＨｇから２２０ｍｍＨｇに変更）、再び加圧制御Ａの微加圧制御Ａ２を行う。さらに、制御部７は、例えば「もう少し圧力を上げます」などの音声を発声させ、再加圧することを被測定者に通知する。なお、目的圧ＯＰには限界値（例えば、２５０ｍｍＨｇ）が設定されており、仮に目的圧ＯＰの再設定が繰り返されて、繰り返し微加圧制御Ａ２が行われても、限界値に達した段階で微加圧制御は終了し、減圧過程Ｂに移行する。また、加圧過程Ａを終了し、減圧過程Ｂに移行した場合において、被測定者の測定方法が不良だった場合には、上記の過程によらず、制御部７は測定できなかった原因（例えば、明らかなノイズ、腕の未挿入等）の音声を発させて測定は終了する。
【００２１】
以上のように、コロトコフ音Ｋの検出の有無から被測定者の最高血圧ＢＰｍａｘに対して最適な圧力に最大圧力Ｐｍａｘ（１４０ｍｍＨｇ）を決定し加圧過程Ａを終了させることができるので、目的圧ＯＰ（１８０ｍｍＨｇ）まで常に加圧する必要が無くなる。つまり、図３に示すように、目的圧ＯＰと最大圧力Ｐｍａｘの差分ΔＰ（４０ｍｍＨｇ）分だけ加圧する圧力を抑えることができるとともに、差分ΔＰに対応する加圧時間及び減圧時間を短縮することができる。さらに、最大圧力Ｐｍａｘをコロトコフ音Ｋの有無によって決定することで、被測定者の差異によらず、また検出されるコロトコフ音Ｋの前後の傾向を検出し判別する必要も無い。このため、複雑な解析等の必要が無く、短時間で、容易かつ正確に判別することができる。このため、最大圧力Ｐｍａｘを最小限に抑えることができるので、測定時間を最大限短縮ができるとともに、被測定者の負担を最小限とすることができる。なお、最大圧力Ｐｍａｘは、上述のように被測定者の最高血圧ＢＰｍａｘに対応して変動するので、低血圧と診断される被測定者においては特に負担を軽減させることができる。
【００２２】
さらに、加圧過程Ａにおいては、設定された基準圧Ｐｓまでは急速加圧制御Ａ１として第一の加圧速度Ｖ１でさらに加圧時間の短縮を図ることができるとともに、基準圧Ｐｓを超えて最大圧力Ｐｍａｘを決定するまでは微加圧制御Ａ２として第二の加圧速度Ｖ２でコロトコフ音Ｋを正確に検出することで、被測定者に応じて最適な最大圧力Ｐｍａｘを決定することができる。また、上述のように、被測定者の負担を最小限として自動的に血圧測定を行える点から常設の無人測定装置として好適であり、血圧測定の基準となる生体信号を検出処理していることから再現性の点においても好ましい。
【００２３】
以上、本発明の実施形態について図面を参照して詳述したが、具体的な構成はこの実施形態に限られるものではなく、本発明の要旨を逸脱しない範囲の設計変更等も含まれる。
【００２４】
なお、血圧測定装置１は、定置式としたがこれに限ることは無い。家庭において使用されるようなコンパクトなタイプとし、必要な時に必要な場所で測定できる方式としても良い。また、本実施形態において、最初の加圧における目的圧ＯＰを１８０ｍｍＨｇとしたが、これに限ること無く、一例であり、使用状況に応じて自由に設定可能なものである。また、基準圧Ｐｓは１００ｍｍＨｇに固定されているとしたが、目的圧ＯＰ同様に自由に設定可能な構成としても良い
【図面の簡単な説明】
【００２５】
【図１】この発明の実施形態の血圧測定装置のブロック図である。
【図２】この発明の実施形態のコロトコフ音の変化曲線及び２階微分した波形を示すグラフである。
【図３】この発明の実施形態の血圧測定装置による環状腕帯圧力部の圧力及びコロトコフ音の変化を示すグラフである。
【図４】この発明の実施形態の血圧測定装置における加圧過程のフロー図である。
【符号の説明】
【００２６】
１  血圧測定装置
２  環状腕帯圧力部
３  加圧手段
４  減圧手段
５  コロトコフ音検出手段
６  圧力検出手段
７  制御部
１４  コロトコフ音検出回路
Ａ  加圧過程
Ａ１  急速加圧制御
Ａ２  微加圧制御
Ｂ  減圧過程
ＢＰｍａｘ  最高血圧
ＢＰｍｉｎ  最低血圧
Ｃ  変化曲線
Ｋ  コロトコフ音
Ｋ２  消滅点
Ｎ  ノッチ成分
Ｐ  圧力
Ｐｍａｘ  最大圧力
Ｐｓ  基準圧
Ｗ  波形
【図１】
0004794278.tif 000002
【図２】
0004794278.tif 000003
【図３】
0004794278.tif 000004
【図４】
0004794278.tif 000005